(57)【要約】【課題】注液孔に対して着脱可能であり、再使用することができる密閉型電池用の仮封止栓を提供する。【解決手段】本発明は、ケース内に電極組立体および電解液が収容された密閉型電池の製造過程で用いられ、上記ケースの壁部に設けられた注液孔に挿入されて該注液孔を封止する仮封止栓に関する。ここに開示される仮封止栓は、栓形成体と挿入軸部材とを備える。上記栓形成体は、フランジ部と本体部とを有し、該本体部の内部には、上記軸方向に相互に連通した有底空洞である第一室および第二室が形成されている。上記挿入軸部材は、上記第一室および上記第二室の何れにも挿入可能な略球状の頭部を備える。上記頭部の直径ΦＥは、上記第一室の直径ΦＣより大きく形成されており、該頭部が該第一室に配置された際には、上記本体部における該第一室の周辺部分が拡径して上記注液孔の封止が実現する。【選択図】図２
2019079695.tif 000002
【特許請求の範囲】
【請求項１】
ケース内に電極組立体および電解液が収容された密閉型電池の製造過程で用いられ、前記ケースの壁部に設けられた注液孔に挿入されて該注液孔を封止する仮封止栓であって、
前記壁部に沿う方向に直交する軸方向の一端が前記ケース内に配置されつつ該軸方向の他端が前記ケース外に配置された状態で前記注液孔に挿入される栓形成体と、該栓形成体内に一部が挿入された挿入軸部材と、を備え、
前記栓形成体は、前記注液孔に挿入された状態において、
前記ケースの外壁面側に配置されて前記注液孔を覆うフランジ部と、該注液孔の内壁面に一部が接する弾性体からなる本体部と、を有し、
前記本体部の内部には、前記軸方向に相互に連通した有底空洞である第一室および第二室が、前記第一室が前記注液孔の近傍側に位置するように形成されており、
前記注液孔の径方向における前記第一室の直径ΦＣは、該径方向における前記第二室の直径ΦＢより小さく形成されており、
前記挿入軸部材は、前記栓形成体が前記注液孔に挿入された状態において、
前記第一室および前記第二室の何れにも挿入可能な略球状の頭部と、
前記軸方向に可逆的に移動可能な軸部であって、該軸方向の一端が該頭部に接続しつつ該軸方向の他端が前記フランジ部から前記ケースの外側へ突出した軸部と、を有し、
前記径方向における前記頭部の直径ΦＥは、該径方向における前記第一室の直径ΦＣより大きく形成されており、
ここで、前記頭部が前記第一室に配置された際には、前記本体部における該第一室の周辺部分が拡径して前記注液孔の内壁面に圧接されることにより前記注液孔の封止が実現し、且つ、前記頭部が前記第二室に配置された際には、前記第一室の周辺部分が縮径して前記圧接が解除されることを特徴とする、仮封止栓。
【発明の詳細な説明】
【技術分野】
【０００１】
本発明は、密閉型電池用の仮封止栓に関する。詳しくは、ケースの壁部に電解液の注液孔を有する密閉型電池用の仮封止栓に関する。
【背景技術】
【０００２】
リチウムイオン二次電池やニッケル水素電池およびその他の二次電池は、電気を駆動源とする車両搭載用電源、あるいはパソコンおよび携帯端末等の電気製品等に搭載される電源として重要性が高まっている。このような二次電池は、例えば、電極体（電極組立体）と電解液とがケースに収容され、当該ケースが密閉された密閉型電池として構築される。具体的には、かかる密閉型電池は、開口を有するケース本体に電極組立体が収容された後、該開口が蓋体により閉塞され、その後、該蓋体に設けられた注液孔から電解液がケース内に注入された後、該注液孔が封止されることにより構築され得る。
【０００３】
かかる密閉型電池は、電解液がケース内に注入されると、電解液と電極体に含まれる活物質との反応によってガスが発生する場合がある。特に、かかる密閉型電池のケース内（特に電極体内部）に多くの水分が含まれていると、充電時にガスが発生しやすくなる。このため、かかる密閉型電池を構築した後の初充電およびエージングの工程は、電池外部からの水分の侵入を防ぐため、上記注液孔を封止（仮封止）した状態で行われることが好ましい。その後、電池内部から発生したガスを抜くために仮封止状態を解除してケース内部の内圧を適切なレベルにまで下げた後、該注液孔に対して再度の封止（本封止）が行われ得る。
【０００４】
密閉型電池の仮封止に関する従来の技術としては、特許文献１および特許文献２に開示されたものが挙げられる。
【先行技術文献】
【特許文献】
【０００５】
【特許文献１】特開２０１５−８２４９５号公報
【特許文献２】特開２０１５−２０４２８３号公報
【発明の概要】
【発明が解決しようとする課題】
【０００６】
特許文献１および特許文献２には、密閉型電池の仮封止に用いられる封止栓（仮封止栓）が開示されている。ここで、仮封止栓には、注液孔に対する高い封止性能（すなわち、外部からの水分の侵入を防止する気密性能、初充電時に発生するガスに対する耐圧性能等）が求められる。また、コスト削減の観点からは、仮封止栓は、注液孔に対して着脱可能であり、かつ再利用可能であることが好ましい。さらに、複雑な構造を有する仮封止栓によると部品の組付け精度が低下しがちになるため、なるべく簡易な構造を有する仮封止栓が好ましい。
【０００７】
本発明は、かかる点に鑑みてなされたものであり、注液孔に対して着脱可能であり、再使用することができる密閉型電池用の仮封止栓を提供することを目的とする。
【課題を解決するための手段】
【０００８】
本発明によって提供される仮封止栓は、ケース内に電極組立体および電解液が収容された密閉型電池の製造過程で用いられ、上記ケースの壁部に設けられた注液孔に挿入されて該注液孔を封止するものである。また上記仮封止栓は、上記壁部に沿う方向に直交する軸方向の一端が上記ケース内に配置されつつ該軸方向の他端が上記ケース外に配置された状態で上記注液孔に挿入される栓形成体と、該栓形成体内に一部が挿入された挿入軸部材と、を備える。
【０００９】
上記栓形成体は、上記注液孔に挿入された状態において、上記ケースの外壁面側に配置されて上記注液孔を覆うフランジ部と、該注液孔の内壁面に一部が接する弾性体からなる本体部と、を有し、上記本体部の内部には、上記軸方向に相互に連通した有底空洞である第一室および第二室が、上記第一室が上記注液孔の近傍側に位置するように形成されており、上記注液孔の径方向における上記第一室の直径ΦＣは、該径方向における上記第二室の直径ΦＢより小さく形成されている。
【００１０】
また、上記挿入軸部材は、上記栓形成体が上記注液孔に挿入された状態において、上記第一室および上記第二室の何れにも挿入可能な略球状の頭部と、上記軸方向に可逆的に移動可能な軸部であって、該軸方向の一端が該頭部に接続しつつ該軸方向の他端が上記フランジ部から上記ケースの外側へ突出した軸部と、を有し、上記径方向における上記頭部の直径ΦＥは、該径方向における上記第一室の直径ΦＣより大きく形成されている。
【００１１】
ここで、上記頭部が上記第一室に配置された際には、上記本体部における該第一室の周辺部分が拡径して上記注液孔の内壁面に圧接されることにより上記注液孔の封止が実現し、且つ、上記頭部が上記第二室に配置された際には、上記第一室の周辺部分が縮径して上記圧接が解除される。
【００１２】
かかる構成の仮封止栓によると、該仮封止栓をケースに設けられた注液孔に挿入した状態で、栓形成体のフランジ部をケース外側から上記壁部に対して押さえつけながら、上記挿入軸部材の軸部を該ケース外側へ引っ張ることにより、該挿入軸部材の頭部が該栓形成体の本体部の第二室から第一室へと移動する。このとき、上記挿入軸部材の頭部の直径ΦＥが第一室の直径ΦＣよりも大きく、さらに上記本体部は弾力性を有するため、かかる第一室に上記頭部を移動させると、上記本体部の外第一室の周辺部分が拡径するように変形する。これにより、上記注液孔の内壁面と上記本体部との密着性が増加し、該注液孔が好適に封止される。
【００１３】
さらに、仮封止状態を解除したいときには、上記挿入軸部材の軸部を上記ケース内側へ押し込むことにより、該挿入軸部材の頭部を栓形成体の本体部の第一室から第二室へと移動させ、拡径していた本体部の外形を元の形状に戻すことができる。これにより、仮封止栓と注液孔の内壁面との密着性を低下させてケース内のガスを抜くことができると同時に、仮封止栓を該注液孔から簡単に取り外すことができる。よって、かかる構成によると、注液孔に対して着脱可能であり、再使用することができる密閉型電池用の仮封止栓が実現される。また、かかる構成によると、簡易な構造を有しながら、封止性能に優れた仮封止栓が実現される。
【図面の簡単な説明】
【００１４】
【図１】本発明の一実施形態に係る仮封止栓の用途に係る密閉型電池を模式的に示す部分断面図である。
【図２】本発明の一実施形態に係る仮封止栓を模式的に示す断面図である。
【図３】本発明の一実施形態に係る仮封止栓による封止方法を説明する断面図である。
【図４】本発明の一実施形態に係る仮封止栓を模式的に示す断面図である。
【図５】本発明の他の一実施形態に係る仮封止栓を模式的に示す断面図である。
【図６】本発明の一実施形態に係る仮封止栓における本体部の硬度と、封止性能との関係を表すグラフである。
【発明を実施するための形態】
【００１５】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。以下の説明で参照する図面では、同じ作用を奏する部材、部位には適宜に同じ符号を付し、重複する説明は省略または簡略化することがある。各図における寸法関係（長さ、幅、厚み等）は、必ずしも実際の寸法関係を反映するものではない。各図面は、一例を示すのみであり、特に言及されない限りにおいて本発明を限定しない。
【００１６】
以下、本発明の一実施形態に係る仮封止栓が使用される対象である密閉型電池として、リチウムイオン二次電池を例にして説明する。なお、ここで開示される仮封止栓は、リチウムイオン二次電池に限定されず、ニッケル水素電池などの種々の密閉型電池に対して使用することができる。
【００１７】
また、本明細書において「略球状」とは厳密な真球状に限定されない形状を指す。略球状には、例えば、真球状である他、球状、楕円体状、長球状、扁球状、紡錘形状、多面体状等が含まれる。
【００１８】
まず、図１を参照しながら、ここに開示される仮封止栓の用途に係るリチウムイオン二次電池（密閉型電池）１００について説明する。リチウムイオン二次電池１００は、ケース１１０の内部に電極体１２０と電解液（図示省略）とを収納することによって構成されている。リチウムイオン二次電池１００のケース１１０は、上面が開口した扁平な角型のケース本体１１２と、ケース本体１１２の上面の開口部を塞ぐ板状の蓋体１１４とから構成されている。ケース１１０の上面をなす蓋体１１４の壁部１０には、ケース１１０内に電解液を注液するための注液孔１１５が設けられており、当該注液孔口１１５に、本発明に係る一実施形態の仮封止栓２０が挿入されている。また、図１では、蓋体１１４に、ケース１１０内の電極体１２０と外部機器（図示省略）とを電気的に接続するための電極端子１４０が取り付けられている。なお、ケース１１０は、アルミニウムなどの軽量で熱伝導性の良い金属材料を主体に構成されていることが好ましい。
【００１９】
具体的な図示は省略するが、本実施形態における電極体１２０は、箔状の正極集電体の表面に正極活物質層が付与された長尺シート状の正極と、箔状の負極集電体の表面に負極活物質層が付与された長尺シート状の負極とを備えており、かかるシート状の正極と負極とをセパレータを介して積層させた後に捲回することによって作製される。電極体１２０の幅方向（捲回軸方向）の中央部には正極および負極の各々の活物質層が対向する捲回コア部１２０Ａが形成されており、両側縁部には活物質層が付与されていない集電体が捲回された端子接続部１２０Ｂが形成されている。電極体１２０の端子接続部１２０Ｂには、電極端子１４０の一方の端部１４０ａが接合されている。そして、かかる電極端子１４０は蓋体１１４を貫通し、他方の端部１４０ｂがケース１１０外に露出している。
【００２０】
図１に示すリチウムイオン二次電池１００は、ケース１１０内に電極体１２０を含む電極組立体を収容して電極体入りケースを作製した後に、注液孔１１５から電解液を注液し、注液孔１１５を仮封止栓２０で封止（仮封止）することによって構築されている。
【００２１】
次に、図２を参照しながら、本発明の一実施形態に係る仮封止栓２０を詳述する。図２は、一実施形態に係る仮封止栓２０が蓋体１１４の壁部１０に設けられた注液孔１１５に挿入された状態を模式的に示す断面図である。図２に示す仮封止栓２０は、注液孔１１５に嵌めこまれる栓形成体３０と、栓形成体３０内に一部が挿入された挿入軸部材５０と、を備える。
【００２２】
栓形成体３０は、円盤状のフランジ部３２と筒状の本体部３４を備える。栓形成体３０は、壁部１０に沿う方向に直交する方向（以下「軸方向」ともいう。）の一端がケース１１０内に配置され、軸方向の他端はケース１１０外に配置された状態で注液孔１１５に挿入される。フランジ部３２は、ケース１１０の外壁面側に配置され、注液孔１１５を覆うように形成されている。また、本体部３４は、フランジ部３２から軸方向に沿ってケース１１０内に向かって形成されている。ここで、本体部３４の外表面の少なくとも一部は注液孔１１５の内壁面に接していることが好ましい。
【００２３】
本体部３４の形状について、図２に示すように、本体部３４の軸方向の長さをＤ、注液孔１１５の径方向（以下、単に「径方向」と記載した場合は、特段の限定がない限り「注液孔１１５の径方向」を指す。）における本体部３４の直径をΦＡとしたとき、本体部３４の軸方向の長さＤに対する本体部の直径ΦＡの割合（ΦＡ／Ｄ）は、０．５以上０．９以下であることが好ましい。かかる形状を有する本体部３４を備えた仮封止栓２０によると、好適な封止状態が実現され得る。
【００２４】
本体部３４の内部には、有底空洞が形成されている。具体的には、栓形成体３０の内部には、軸方向のフランジ部３２側においては栓形成体３０の外表面に達しつつ、軸方向の本体部３４側の端部においては栓形成体３０の外表面に達していない空洞が形成されている。上記有底空洞は、上記軸方向に相互に連通した２つの空洞である第一室４０および第二室４２を含む。ここで、第一室４０は、第二室４２よりも注液孔１１５寄りに配置される。第一室４０および第二室４２は互いに接して一体化しているため、本体部３４の内部にはひょうたん型の空洞が形成されている。
【００２５】
ここで、径方向における第一室４０の直径ΦＣは、径方向における第二室４２の直径ΦＢより小さく形成されている。即ち、第二室４２の上記直径ΦＢに対する第一室４０の上記直径ΦＣの割合（ΦＣ／ΦＢ）は１未満であり、好ましくは０．２以上０．８以下である。ΦＣ／ΦＢがかかる範囲内である栓形成体３０を備えた仮封止栓２０によると、より高い封止性能が達成され得る。
【００２６】
なお、上記の第一室４０および第二室４２の直径ΦＣ、ΦＢ等、本明細書における仮封止栓２０を構成する各部材の各寸法は、図２に示すように、挿入軸部材５０の頭部５２が第二室４２に挿入されている状態において測定された寸法である。挿入軸部材５０の頭部５２の直径ΦＥが第二室４２の直径ΦＢと比較して等しいか、または小さい場合においては、上記各寸法は、栓形成体３０と挿入軸部材５０とが分離した状態において測定される各寸法と一致し得る。
【００２７】
ここで、上記径方向における本体部３４の直径ΦＡと、径方向における第二室４２の直径ΦＢの比は特に限定されないが、好ましくは、本体部３４の上記直径ΦＡに対する第二室４２の上記直径ΦＢの割合（ΦＢ／ΦＡ）は、０．４５以上０．８５以下である。かかる栓形成体３０を備えた仮封止栓２０によると、封止性能が向上し得る。
【００２８】
本体部３４を含む栓形成体３０は、弾性体であって電解液に対する耐薬品性を有する材料で形成されていることが好ましい。好適に用いられ得る栓形成体３０の材料の例としては、ブチルゴム、スチレンプロピレンゴム、エチレンプロピレンゴム（ＥＰＤＭ）、スチレンブタジエンゴム、ニトリルゴム、フッ素ゴム、天然ゴム等のゴム（またはエラストマー）が挙げられる。なかでも耐薬品性の観点から、ＥＰＤＭが好ましい。少なくとも栓形成体３０における本体部３４は、ゴム（例えばＥＰＤＭ）で形成されていることが好ましい。
【００２９】
栓形成体３０を形成する材料としてゴムが採用された場合、該ゴムの硬度は２０°〜８０°（より好ましくは３０°〜６０°）であることが好ましい。かかる材料で形成された栓形成体３０を備えた仮封止栓２０によると、注液孔１１５に対する封止性能（特に気密性能）が向上し得る。なお、本明細書におけるゴムの「硬度」は、ＪＩＳ  Ｋ  ６２５３に規定されるタイプＡデュロメータにより測定される硬度を指す。
【００３０】
図２に示すように、挿入軸部材５０は、栓形成体３０が注液孔１１５に挿入された状態において、第一室４０および第二室４２の何れにも挿入可能な略球状の頭部５２と、軸方向の一端が頭部５２に接続しつつ他端がフランジ部３２からケース１１０の外側へ突出した細長い軸部５４と、を備える。
【００３１】
ここで、挿入軸部材５０は、径方向における頭部５２の直径ΦＥが、径方向における第一室４０の直径ΦＣより大きくなるように形成されている。すなわち、上記頭部５２の直径ΦＥに対する上記第一室４０の直径ΦＣの割合（ΦＣ／ΦＥ）は１未満であり、好ましくは０．２以上０．８以下である。かかる構成によると、後述する図４に示すように、挿入軸部材５０の頭部５２を第二室４２から第一室４０へ移動させた際に、本体部３４の第一室４０の周辺部分が好適に拡径し、これにより本体部３４と注液孔１１５の内壁面との密着性が向上して、注液孔１１５の封止が好適に実現する。
【００３２】
ここで、径方向における頭部５２の直径ΦＥと第二室４２の直径ΦＢの比は、特に限定されない。注液孔１１５に対する着脱容易性の観点から、径方向における頭部５２の直径ΦＥは、径方向における第二室４２の直径ΦＢ以下となるように形成されていることが好ましい。例えば、図２に示すように、上記頭部５２の直径ΦＥが、上記第二室４２の直径ΦＢと同じになるように（即ちΦＥ＝ΦＢを満たすように）形成され得る。
【００３３】
また、本実施形態に係る仮封止栓２０は、径方向における軸部５４の直径ΦＦが、径方向における第一室４０の直径ΦＣより小さくなるように構成されることが好ましい。かかる構成によると、軸部５４は上記軸方向に可逆的に容易に移動させることができる。
【００３４】
図３および図４を参照しながら、本実施形態に係る仮封止栓２０による注液孔１１５に対する封止方法を説明する。図３に示すように、仮封止栓２０を蓋体１１４の壁部１０に設けられた注液孔１１５に挿入した状態で、押しつけ手段６０を用いて栓形成体３０のフランジ部３２をケース１１０（蓋体１１４）の外側から壁部１０に対して押しつけながら、引っ張り手段６２を用いて挿入軸部材５０の軸部５４をケース１１０（蓋体１１４）の軸方向外側へ引っ張る。これにより、挿入軸部材５０の頭部５２は、第二室４２から第一室４０へと移動して配置される。図４は、挿入軸部材５０の頭部５２が第一室４０に挿入されている状態における仮封止栓２０の断面図である。頭部５２が第一室４０に配置された本体部３４（図４参照）の第一室４０の周辺部分は、頭部５２が第二室４２に配置された本体部３４（図２参照）と比較して拡径する。これにより、本体部３４の第一室４０の周辺部分は注液孔１１５の内壁面に圧接され、注液孔１１５が好適に封止される。
【００３５】
仮封止状態を解除するためには、挿入軸部材５０の軸部５４をケース１１０（蓋体１１４）の軸方向内側へ押し込むことにより、挿入軸部材５０の頭部５２を本体部３４の第一室４０から第二室４２へと移動させることができる。これにより図２に示すように、拡径していた本体部３４の外形が縮径して、好ましくは元の形状に戻る。かかる操作によると、仮封止栓２０と注液孔１１５の内壁面との密着性を低下させてケース１１０内部のガスを抜くことができると同時に、仮封止栓２０を注液孔１１５から簡単に取り外すことができる。
【００３６】
挿入軸部材５０を形成する材料は特に限定されない。強度の観点から、挿入軸部材５０は金属、樹脂等で形成されていることが好ましい。
【００３７】
ここに開示される仮封止栓２０の挿入軸部材５０における頭部５２の形状は、本発明の効果を奏する限りにおいて、厳密な球状に限られない。例えば、図５に示すように、頭部５２の形状は多面体状とすることができる。または、図示はしないが、頭部５２の形状は楕円体状とすることができる。これらの場合、栓形成体３０の第一室４０および第二室４２の形状は、頭部５２の形状に対応した形状とすることが好ましい。
【００３８】
以下、本発明に関する試験例を説明するが、以下の説明は本発明を限定することを意図したものではない。
【００３９】
厚み１．４ｍｍのアルミ製の電池ケースであって、壁部に直径５ｍｍの円形の開口部（注液孔）を有する電池ケースを用意した。また、図２に示す構造を有し、ΦＢ／ΦＡが０．６、ΦＣ／ΦＢが０．５、ΦＡ／Ｄが０．６である仮封止栓を製造した。ここで、仮封止栓における栓形成体は、硬度が２０°〜８０°であるＥＰＤＭを用いて形成した。なお、栓形成体を形成するＥＰＤＭの硬度は、ＪＩＳ  Ｋ  ６２５３に規定されるタイプＡデュロメータにより測定した。かかる仮封止栓を、上記電池ケースの開口部に挿入し、図３に示すように、フランジ部を壁部に押し付けながら挿入軸部材の軸部を外側に引いて上記開口部を封止した。かかる封止状態における気密性を、リーク検査により測定した。リーク検査は、あらかじめ電池ケース内にリーク検査ガスであるヘリウムガスを封入し、上記仮封止栓により開口部を封止した後、電池ケース周囲のヘリウムガス濃度を測定することにより行った。ここで、測定されたヘリウムガス濃度が低いほど仮封止栓の気密性が高いと評価した。本実施形態における仮封止栓の気密性評価の結果を図６に示す。
【００４０】
図６に示すグラフの横軸は栓形成体を形成する材料の硬度であり、縦軸は仮封止栓の気密性を示す。図６に示す通り、本試験例で作製した仮封止栓は何れも、上記電池ケースに設けられた上記注液孔に用いられて、実用上十分に高い気密性能を有した。特に、硬度が３０°〜６０°であるＥＰＤＭにより形成された栓形成体を備えた仮封止栓によると、上記注液孔に対してより高い気密性能が得られることが示された。
【００４１】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００４２】
１０        壁部
２０        仮封止栓
３０        栓形成体
３２        フランジ部
３４        本体部
４０        第一室
４２        第二室
５０        挿入軸部材
５２        頭部
５４        軸部
６０        押しつけ手段
６２        引っ張り手段
１００      リチウムイオン二次電池（密閉型電池）
１１０      ケース
１１２      ケース本体
１１４      蓋体
１１５      注液孔
１２０      電極体
１２０Ａ    捲回コア部
１２０Ｂ    端子接続部
１４０      電極端子
１４０ａ    電極端子の一方の端部
１４０ｂ    電極端子の他方の端部
ΦＡ        本体部の直径
ΦＢ        第二室の直径
ΦＣ        第一室の直径
Ｄ          本体部の長さ
ΦＥ        頭部の直径
ΦＦ        軸部の直径
【図１】
2019079695.tif 000003
【図２】
2019079695.tif 000004
【図３】
2019079695.tif 000005
【図４】
2019079695.tif 000006
【図５】
2019079695.tif 000007
【図６】
2019079695.tif 000008